【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
駆動側となる第１の回転軸に固定されて第１の回転軸とともに回転するインナーロータと、
従動側となる第２の回転軸に結合される、平面視円形状を呈する第１底板と、この第１底板の周縁部に立設された第１周壁と、を備えたアウターヨークの内周面に、Ｎ極となる第１磁石と、Ｓ極となる第１磁石とが、周方向に沿って交互に配列されるとともに、前記第２の回転軸に固定されて前記第２の回転軸とともに回転するアウターロータと、
平面視円形状を呈する第２底板と、この第２底板の周縁部に立設された第２周壁と、を備えた円筒形状を呈するとともに、前記インナーロータの外側全体を覆うようにして前記インナーロータと前記アウターロータとの間に配置された隔壁と、を備えた磁気カップリングであって、
前記インナーロータは、前記第１の回転軸に結合される、平面視円形状を呈する第３底板と、この第３底板の周縁部に立設された第３周壁と、を備え、この第３周壁の外周面に、Ｎ極となる第２磁石と、Ｓ極となる第２磁石とが、周方向に沿って交互に配列されるとともに、これらＮ極となる第２磁石およびＳ極となる第２磁石の外周面に沿って、中空円筒形状を呈する内側保持リングが取り付けられたインナーヨークを具備しており、かつ、
前記インナーロータを構成する第３周壁には、前記Ｎ極となる第２磁石と前記Ｓ極となる第２磁石との間に位置して、当該第３周壁の外周面と内周面とを連通するとともに、当該第３周壁の端面から前記インナーロータを構成する第３底板の内側面まで延びるスリットが、周方向に沿って複数個設けられていることを特徴とする磁気カップリング。
【請求項２】
前記インナーロータを構成する第３周壁が軸方向に伸長され、前記Ｎ極となる第２磁石、および前記Ｓ極となる第２磁石が、前記インナーロータを構成する第３周壁の外周面のみに取り付けられていることを特徴とする請求項１に記載の磁気カップリング。
【請求項３】
前記隔壁は、本体と、インナーカバーと、を備えた円筒形状を呈する部材であり、前記インナーロータの外側全体を覆うようにして前記インナーロータと前記アウターロータとの間に配置されているとともに、
前記本体の内周面と対向する前記インナーカバーの外周面、および／または前記インナーカバーの外周面と対向する前記本体の内周面に、冷却媒体の流路となる溝が設けられていることを特徴とする請求項１または２に記載の磁気カップリング。
【請求項４】
請求項１から３のいずれかに記載の磁気カップリング備えていることを特徴とする排熱回収型船舶推進装置。
【請求項５】
請求項４に記載の排熱回収型船舶推進装置を備えていることを特徴とする船舶。
【請求項６】
駆動側となる第１の回転軸に固定されて第１の回転軸とともに回転するインナーロータと、
従動側となる第２の回転軸に結合される、平面視円形状を呈する第１底板と、この第１底板の周縁部に立設された第１周壁と、を備えたアウターヨークの内周面に、Ｎ極となる第１磁石と、Ｓ極となる第１磁石とが、周方向に沿って交互に配列されるとともに、前記第２の回転軸に固定されて前記第２の回転軸とともに回転するアウターロータと、
平面視円形状を呈する第２底板と、この第２底板の周縁部に立設された第２周壁と、を備えた円筒形状を呈するとともに、前記インナーロータの外側全体を覆うようにして前記インナーロータと前記アウターロータとの間に配置された隔壁と、を備え、
前記インナーロータは、前記第１の回転軸に結合される、平面視円形状を呈する第３底板と、この第３底板の周縁部に立設された第３周壁と、を備え、この第３周壁の外周面に、Ｎ極となる第２磁石と、Ｓ極となる第２磁石とが、周方向に沿って交互に配列されるとともに、これらＮ極となる第２磁石およびＳ極となる第２磁石の外周面に沿って、中空円筒形状を呈する内側保持リングが取り付けられたインナーヨークを具備しており、かつ、
前記インナーロータを構成する第３周壁には、前記Ｎ極となる第２磁石と前記Ｓ極となる第２磁石との間に位置して、当該第３周壁の外周面と内周面とを連通するとともに、当該第３周壁の端面から前記インナーロータを構成する第３底板の内側面まで延びるスリットが、周方向に沿って複数個設けられている磁気カップリングの組立方法であって、
前記インナーロータの外側全体を覆うようにして前記隔壁を組み付ける工程と、
前記隔壁の外側全体を覆うようにして前記アウターロータを組み付ける工程と、を備えていることを特徴とする磁気カップリングの組立方法。
【請求項７】
前記隔壁は、本体と、インナーカバーと、を備えた円筒形状を呈する部材であり、
前記本体の内周面と対向する前記インナーカバーの外周面、および／または前記インナーカバーの外周面と対向する前記本体の内周面に、冷却媒体の流路となる溝が設けられたものであることを特徴とする請求項６に記載の磁気カップリングの組立方法。
【手続補正２】
【補正対象書類名】明細書
【補正対象項目名】０００７
【補正方法】変更
【補正の内容】
【０００７】
本発明は、上記課題を解決するため、以下の手段を採用した。
本発明に係る磁気カップリングは、駆動側となる第１の回転軸に固定されて第１の回転軸とともに回転するインナーロータと、従動側となる第２の回転軸に結合される、平面視円形状を呈する第１底板と、この第１底板の周縁部に立設された第１周壁と、を備えたアウターヨークの内周面に、Ｎ極となる第１磁石と、Ｓ極となる第１磁石とが、周方向に沿って交互に配列されるとともに、前記第２の回転軸に固定されて前記第２の回転軸とともに回転するアウターロータと、平面視円形状を呈する第２底板と、この第２底板の周縁部に立設された第２周壁と、を備えた円筒形状を呈するとともに、前記インナーロータの外側全体を覆うようにして前記インナーロータと前記アウターロータとの間に配置された隔壁と、を備えた磁気カップリングであって、前記インナーロータは、前記第１の回転軸に結合される、平面視円形状を呈する第３底板と、この第３底板の周縁部に立設された第３周壁と、を備え、この第３周壁の外周面に、Ｎ極となる第２磁石と、Ｓ極となる第２磁石とが、周方向に沿って交互に配列されるとともに、これらＮ極となる第２磁石およびＳ極となる第２磁石の外周面に沿って、中空円筒形状を呈する内側保持リングが取り付けられたインナーヨークを具備しており、かつ、前記インナーロータを構成する第３周壁には、前記Ｎ極となる第２磁石と前記Ｓ極となる第２磁石との間に位置して、当該第３周壁の外周面と内周面とを連通するとともに、当該第３周壁の端面から前記インナーロータを構成する第３底板の内側面まで延びるスリットが、周方向に沿って複数個設けられている。
【手続補正３】
【補正対象書類名】明細書
【補正対象項目名】０００８
【補正方法】変更
【補正の内容】
【０００８】
本発明に係る磁気カップリングによれば、遠心力によりインナーロータを構成する第３周壁が半径方向外側に拡がり、当該第３周壁に取り付けられた磁石の外周面が、その半径方向外側に位置する内側保持リングの内周面に押しつけられることになる。
これにより、駆動用磁石がインナーロータを構成する第３周壁から剥がれて浮き上がり、インナーロータの回転が不安定になるのを防止することができ、破損することなく駆動力を正常に伝達することができる。
【手続補正４】
【補正対象書類名】明細書
【補正対象項目名】０００９
【補正方法】変更
【補正の内容】
【０００９】
上記磁気カップリングにおいて、前記インナーロータを構成する第３周壁が軸方向に伸長され、前記Ｎ極となる第２磁石、および前記Ｓ極となる第２磁石が、前記インナーロータを構成する第３周壁の外周面のみに取り付けられているとさらに好適である。
【手続補正５】
【補正対象書類名】明細書
【補正対象項目名】００１０
【補正方法】変更
【補正の内容】
【００１０】
このような磁気カップリングによれば、遠心力によりインナーロータを構成する第３周壁が半径方向外側により拡がり、当該第３周壁に取り付けられた磁石の外周面全体が、その半径方向外側に位置する内側保持リングの内周面により強く押しつけられることになる。
これにより、駆動用磁石がインナーロータを構成する第３周壁から剥がれて浮き上がり、インナーロータの回転が不安定になるのをより確実に防止することができ、破損することなく駆動力を正常に伝達することができる。
【手続補正６】
【補正対象書類名】明細書
【補正対象項目名】００１７
【補正方法】変更
【補正の内容】
【００１７】
本発明に係る磁気カップリングの組立方法は、駆動側となる第１の回転軸に固定されて第１の回転軸とともに回転するインナーロータと、従動側となる第２の回転軸に結合される、平面視円形状を呈する第１底板と、この第１底板の周縁部に立設された第１周壁と、を備えたアウターヨークの内周面に、Ｎ極となる第１磁石と、Ｓ極となる第１磁石とが、周方向に沿って交互に配列されるとともに、前記第２の回転軸に固定されて前記第２の回転軸とともに回転するアウターロータと、平面視円形状を呈する第２底板と、この第２底板の周縁部に立設された第２周壁と、を備えた円筒形状を呈するとともに、前記インナーロータの外側全体を覆うようにして前記インナーロータと前記アウターロータとの間に配置された隔壁と、を備え、前記インナーロータは、前記第１の回転軸に結合される、平面視円形状を呈する第３底板と、この第３底板の周縁部に立設された第３周壁と、を備え、この第３周壁の外周面に、Ｎ極となる第２磁石と、Ｓ極となる第２磁石とが、周方向に沿って交互に配列されるとともに、これらＮ極となる第２磁石およびＳ極となる第２磁石の外周面に沿って、中空円筒形状を呈する内側保持リングが取り付けられたインナーヨークを具備しており、かつ、前記インナーロータを構成する第３周壁には、前記Ｎ極となる第２磁石と前記Ｓ極となる第２磁石との間に位置して、当該第３周壁の外周面と内周面とを連通するとともに、当該第３周壁の端面から前記インナーロータを構成する第３底板の内側面まで延びるスリットが、周方向に沿って複数個設けられている磁気カップリングの組立方法であって、前記インナーロータの外側全体を覆うようにして前記隔壁を組み付ける工程と、前記隔壁の外側全体を覆うようにして前記アウターロータを組み付ける工程と、を備えている。
【手続補正７】
【補正対象書類名】明細書
【補正対象項目名】００１８
【補正方法】変更
【補正の内容】
【００１８】
本発明に係る磁気カップリングの組立方法によって組み立てられた磁気カップリングによれば、遠心力によりインナーロータを構成する第３周壁が半径方向外側に拡がり、当該第３周壁に取り付けられた磁石の外周面が、その半径方向外側に位置する内側保持リングの内周面に押しつけられることになる。
これにより、駆動用磁石がインナーロータを構成する第３周壁から剥がれて浮き上がり、インナーロータの回転が不安定になるのを防止することができ、破損することなく駆動力を正常に伝達することができる。